(57)【特許請求の範囲】
【請求項１】
前眼房に挿着される眼内レンズであって、虹彩周辺部に形成した微細な切開創を通過させて毛様溝に係着支持させるための係着部を先端に有する支持脚がレンズ本体の周側の上方ならびに下方にそれぞれ突設されており、前記各支持脚は側面において後方へ向けて緩やかに湾曲しているとともに先端部が更に屈曲して先端に係着部を有することを特徴とする眼内レンズ。
【請求項２】
支持脚がレンズ本体周側の上部ならびに下部にそれぞれ２本ずつが対をなして形成されているとともに、前記対をなす支持脚は正面において互いに接近方向へ湾曲しているとともに、それらの先端に形成される係着部とが外側に向けてほぼ半円状に屈曲している請求項１記載の眼内レンズ。
【発明の詳細な説明】
【０００１】
【産業上の利用分野】
本発明は眼内レンズ、殊に、前眼房に挿着される眼内レンズに関するものである。
【０００２】
【従来の技術】
従来、嚢外摘出術、或いは超音波乳化吸引術などの術後に眼内レンズを挿着することが行われている。
【０００３】
そして、その際に用いられる眼内レンズとしては、水晶体嚢に挿入される眼内レンズが一般的である。
【０００４】
ところが、手術の状況によっては、眼内レンズを後眼房に挿着できない場合もある。
【０００５】
そこで、そのような症例にあっては、眼内レンズを後眼房に挿入して、毛様溝に縫着するか、或いは、眼内レンズを前眼房に挿着することになる。
【０００６】
しかしながら、後眼房に挿入した眼内レンズを毛様溝に縫着する場合には、挿着がきわめて困難で高度な熟練した技術を要するとともに、前眼部の硝子体切除を行なうための高価な機器が必要不可欠であり、更に、手術侵襲が大きいことによる、網膜傷害などを起す虞れがあり、また、長期経過後の傷害は明らかでない。
【０００７】
一方、前眼房に眼内レンズを挿着する場合には、前述の如く後眼房に眼内レンズを挿着する場合のように、熟練を要さず、高額な機器も必要としない利点があるが、従来の前眼房に挿着する眼内レンズは、その係着支持位置が隅角であったため広範囲に隅角を損傷し、さらには眼内レンズが回転するなど内挿着が不安定であるとともに、この不安定に起因する角膜内皮障害を術後併発するという問題もあった。
【０００８】
【発明が解決しようとする課題】
本発明が解決しようとする課題は、従来の眼内レンズ、殊に、前眼房に挿着される眼内レンズは、後眼房に縫着される眼内レンズに比べて手術が容易で、高価な手術用機器を必要としないが、挿着が不安定であるとともに、術後に角膜内皮障害を併発し、虹彩などを損傷する虞がある、という点である。
【０００９】
【課題を解決するための手段】
本発明は、前眼房に挿着される眼内レンズであって、虹彩周辺部に形成した微細な切開創を通過させて毛様溝に係着支持させるための係着部を先端に有する支持脚がレンズ本体の周側の上方ならびに下方にそれぞれ突設されており、前記各支持脚は側面において後方へ向けて緩やかに湾曲しているとともに先端部が更に屈曲して先端に係着部を有する、という構成により、挿着が容易であることは云うまでもなく、きわめて安全な眼内レンズを提供する、という本発明の目的を達成するものである。
【００１０】
【作用】
支持脚を、虹彩の動的障害とならない虹彩周辺部に形成した微小な切開創を通し、その先端に有する係着部を毛様溝に係着支持させて、レンズ本体を前眼房に挿着させる。
【００１１】
【実施例】
次に本発明の実施例について図面を参照して説明する。
【００１２】
図面は本発明の一実施例を示すものであり、眼内レンズ１は光学部を形成する円板状のレンズ本体２と、その周側の上方ならびに下方にそれぞれ２本ずつ突設された、合計４本の支持脚３，４，５，６とから構成される。
【００１３】
レンズ本体２は、従来の前眼房に挿着される眼内レンズと同じく６ｍｍ前後程度の直径を有し、例えば、ポリメチルメタクリレートなど従来から眼内レンズの基材として認可されている基材により形成される。
【００１４】
レンズ本体２の周側に突設された支持脚３，４，５，６は、従来の前眼房に挿着される眼内レンズに突設される支持脚と同様に、例えばポリプロピレンなどのように適宜の弾性ならびに硬さを有する安定した基材により直径が例えば０．５ｍｍ程度の細長帯片状に形成されている。
【００１５】
そして、これらの支持脚３，４，５，６はレンズ本体１の上方に２本の支持脚３，４が、下方に２本の支持脚５，６がそれぞれ対向して配置されている。
【００１６】
また、各支持脚３，４，５，６は、前眼房７に挿入した際に虹彩周辺部８を通過して、毛様体溝９に係着させるために側面において後方へ向けて緩やかに湾曲しており、さらに、各先端部が更に屈曲して係着部３１，３２，３３，３４を形成している。
【００１７】
更に、各支持脚３，４，５，６の内、レンズ本体２の上方に位置する支持脚３，４ならびに下方に位置する支持脚５，６とは、それぞれ対をなしており、これらの対を形成する支持脚３，４ならびに支持脚５，６とは、正面において互いに接近方向へ湾曲しているとともに、それらの先端に形成される前記係止部３１と４１、ならびに５１と６１とが外側に向けてほぼ半円状に屈曲している。
【００１８】
かかる実施例を使用するには、図４に示すように、嚢外摘出、超音波乳化吸引術、時には嚢内摘出手術などの手術後に、虹彩周辺部８に、各支持脚３，４，５，６を通過させる例えば０．５〜１ｍｍ程度の微小な切開創１０を角膜１１を通して形成する。
【００１９】
尚、この際、各微小な切開創１０を正確な位置に形成するための手段として図３に示したようなレンズグライド１２を用いる。
【００２０】
このレンズグライド１２は平板上で両側端縁１２１，１２２沿って、前記眼内レンズ１の支持脚３，４，５，６に対応した位置に切欠溝１３，１４，１５，１６が形成されている。
【００２１】
従って、このレンズグライド１２を角膜１１上に配置し、切欠溝１３，１４，１５，１６部分を角膜１１を通して微小な切開刀で虹彩周辺部８の所定位置に切開創１０を形成するものである（図示せず）。
【００２２】
尚、このレンズグライド１２を用いることにより、眼内レンズ挿入時に、硝子体が挿入眼内レンズ１に絡まないように予防することもできる。
【００２３】
そして、虹彩周辺部８に形成した各切開創１０に各支持脚３，４，５，６をそれぞれ通過させてレンズ本体２を前眼房７に挿入するとともに、前記虹彩周辺部８を通過させた支持脚３，４，５，６の先端に形成した係着部３１，４１５１，６１を毛様溝９に係着させることにより、眼内レンズ１を前眼房７に挿着させる。
【００２４】
このように本実施例によれば、きわめて簡単に前眼房７に挿着することが可能であるばかりか、支持脚３，４，５，６を動的障害の影響がない虹彩周辺部８を通して毛様溝９に係着支持させるものであり、確実に支持されるばかりか、術後に角膜内皮障害を引き起こす心配もない。
【００２５】
殊に本実施例は、４つの支持脚３，４，５，６をレンズ本体２の上方ならびに下方に２本ずつ対をなるように配置したため眼内レンズ１が前眼房７内で回転することなく確実に支持され、術後に虹彩周辺部８や角膜１０などを損傷する虞がないが、支持脚の数は例えば上方に１本、下方に２本配置するなど他の構成であってもよいことは勿論である。
【００２６】
【発明の効果】
以上の構成を有する本発明である眼内レンズは、前眼房に挿着するものであるため、毛様体溝に縫着する後房レンズのように複雑で熟練を要し、加えて長期間経過後に角膜障害の虞がなく、毛様溝への縫着手術が不要であるばかりか硝子体切除のための高額な機器も必要でない。
【００２７】
加えて、硝子体切除などが不要であることから、手術時間も短縮できるとともに、安全に挿着させることができるものである。
【００２８】
また、従来の前眼房へ挿着する眼内レンズのように支持脚を隅角に係着支持させるものでなく、動的障害にならない虹彩周辺部に形成された微小な切開創を通して毛様溝に係着支持させることにより挿着するものである。
【００２９】
従って、眼内レンズがきわめて安定した状態に支持されるため、術後に眼内レンズの回転を含む移動に起因する虹彩や角膜内皮が損傷するという心配もない。
【００３０】
殊に、支持脚をレンズ本体周側の上部ならびに下部にそれぞれ２本ずつ配置した構成とした場合には、きわめて安定した状態に支持させることができるものである。
【００３１】
また、構成も従来の前眼房に挿着する型の眼内レンズと同様にレンズ本体に支持脚を突設させたものであり、格別複雑でないため、製造も容易であるとともに、耐久性においても何ら問題を生じる心配もない。
【図面の簡単な説明】
【図１】  本発明の一実施例を示す正面図である。
【図２】  図１の側面図である。
【図３】  図１に示した実施例において、虹彩周辺部に切開創を形成する際に用いられるレンズグライドの一例における平面図である。
【図４】  図１に示した実施例の挿着状態を示す説明図である。
【符号の説明】
１  眼内レンズ
２  レンズ本体
３  支持脚
４  支持脚
５  支持脚
６  支持脚
７  前眼房
８  虹彩周辺部
９  毛様体溝
１０  切開創
【図１】
0003745394.tif 000002
【図２】
0003745394.tif 000003
【図３】
0003745394.tif 000004
【図４】
0003745394.tif 000005